(57)【特許請求の範囲】
【請求項１】
試料を収容するロータの回転半径を含むＩＤを検出するロータ自動判別器と、ロータ自動判別器により検出されたＩＤを表示するＩＤ表示部と、前記ロータの回転速度或いは遠心加速度を選択的に表示する運転表示部と、前記運転表示部の表示を選択する切換部と、前記運転表示部の表示が回転速度或いは遠心加速度かを示す２個の表示指示器と、前記ロータの回転速度或いは遠心加速度のいずれか一方の設定値を入力するための設定部とから構成されるパネル部を有し、前記ロータのＩＤ及び回転速度或いは遠心加速度のいずれか一方の設定値により遠心加速度或いは回転速度の他方を演算して演算値を前記運転表部に表示可能とした遠心機であって、
前記運転表示部が演算値を表示している時、設定値側の表示指示器の点灯状態を演算値側の表示指示器の点灯状態と異なるようにし、設定値を指示するようにしたことを特徴とする遠心機。
【請求項２】
前記演算値側表示指示器を連続点灯状態とし、設定値側表示指示器を点滅状態としたことを特徴とする請求項１記載の遠心機。
【発明の詳細な説明】
【０００１】
【発明の属する技術分野】
本発明は、重要な運転条件である回転速度及び遠心加速度を用いて運転状態を示すパネル部（操作表示装置）を改善した遠心機に関するものである。
【０００２】
【従来の技術】
遠心機を用いて試料を分離する場合には、分離結果を左右する遠心加速度の大きさが重要視されている。また、遠心加速度ＲＣＦ（×ｇ）は、回転半径ｒ（ｍｍ）と回転速度Ｎ（ｒｐｍ）から、ＲＣＦ＝１．１１８×１０−６×ｒ×Ｎ２（式１）で計算される。よって、上記（式１）における３つの変数のうち２つ決まれば、残りの変数は確定する。
【０００３】
上記遠心機において、１０,０００ｒｐｍ時に５,０００×ｇとなる回転半径を有するロータＩＤがＡであるロータと、１０,０００ｒｐｍ時に８,０００×ｇとなる回転半径を有するロータＩＤがＢであるロータとを交換して使用する場合に生じる不具合を以下に説明する。
遠心機は、図４（ａ）〜（ｃ）に示すように運転条件を入力するための設定部及びその運転条件などを表示するための表示部から成るパネル部（操作表示装置）を具備しており、図４（ａ）に示すようにロータＩＤをＡ，回転速度を１０,０００ｒｐｍと設定すると、回転速度表示指示器１２は点灯状態となり、遠心加速度表示指示器１３は消灯状態となる。ここで、使用者が演算された遠心加速度を表示させるためにＳＰＥＥＤ／ＲＣＦ  ＳＷ１５を操作して、図４（ｂ）に示すように運転表示部である数字表示部１１を遠心加速度表示に変更すると、回転速度表示指示器１２は消灯状態となり、遠心加速度表示指示器１３が点灯状態となる。このようなパネル部を有する遠心機を運転させて試料の分離を終えた後に、次の分離を行おうとした時のパネル部の表示は、図４（ｂ）に示すように前回の表示内容がそのまま表示される。
【０００４】
しかし、このような表示方法だと図４（ａ）に示すように初期設定状態における設定値が回転速度であったため、図４（ｂ）に示されている遠心加速度は、単に回転速度から求められた計算値すなわち演算値を表示しているにすぎない。しかもこの場合、図４（ｂ）に示すように回転速度表示指示器１２が消灯状態にあり、遠心加速度表示指示器１３が点灯状態にあるため、パネル部を見た使用者は、遠心加速度が設定されているものと勘違いしてしまう可能性がある。つまり、パネル部の数字表示部１１に５,０００と表示してあると、使用者は遠心加速度が５,０００×ｇに設定されていると誤解する恐れがある。
ところがこのような設定及び表示状態のまま上述したロータＢを５,０００×ｇの遠心加速度で運転しようとする場合、ロータＢをロータ自動判別器により判別した時に設定値である回転速度が１０,０００ｒｐｍであることから、ロータＢの１０,０００ｒｐｍ時における遠心加速度として８,０００×ｇと制御装置が再計算し、使用者は遠心加速度５,０００×ｇで運転させたいのであるが、遠心加速度８,０００×ｇで運転してしまう。これは使用者の望む運転ではなく貴重な分離試料を無駄にしてしまう可能性がある。
【０００５】
また、上述した不具合に対する改善策として図４（ｂ）に表示されているロータＩＤと異なるロータを運転し、図４（ｃ）に示すような再計算が行われる場合には、アラームを出して運転を中止し、使用者に正しいロータＩＤを入力してもらうことにより運転を可能とする方法もある。しかし、この場合には、ロータを変えた場合にはロータＩＤを手入力する必要があるため、ロータの自動判別機能の意味がなくなってしまう。
【０００６】
【発明が解決しようとする課題】
上述した不具合を解消するには、１つの数字表示部に回転速度と遠心加速度とを選択的に表示させるのではなく、回転速度と遠心加速度とをそれぞれ別々に表示する２つの数字表示部を設け、更にそれら数字表示部のうちどちらか一方を選択可能な操作部を設けることにより対応可能になるが、このような構成にしてしまうと部品点数が増えてしまうと共に、操作部及び表示部が増えてしまうため、複雑且つ高価なパネル部になってしまうという問題があった。
【０００７】
また、ロータの回転半径から、（１）回転速度を設定値とし遠心加速度を演算する場合、或いは（２）遠心加速度を設定値とし回転速度を演算する場合、それぞれ設定された方を固定値すなわち設定値として他方を演算しているため、ロータＩＤが変更され回転半径が変わると制御装置が自動的に再計算を行うため、使用者が意図する使用条件を、時に遠心機が自動的に変更してしまう可能性があるという問題があった。
【０００８】
本発明の目的は、上記問題を解消し、操作性及び作業性に優れたシンプルなパネル部を有する遠心機を提供することである。
【０００９】
【課題を解決するための手段】
上記目的は、試料を収容するロータの回転半径を含むＩＤを検出するロータ自動判別器と、ロータ自動判別器により検出されたＩＤを表示するＩＤ表示部と、前記ロータの回転速度或いは遠心加速度を選択的に表示する運転表示部と、前記運転表示部の表示を選択する切換部と、前記運転表示部の表示が回転速度或いは遠心加速度かを示す２個の表示指示器と、前記ロータの回転速度或いは遠心加速度のいずれか一方の設定値を入力するための設定部とから構成されるパネル部を有し、前記ロータのＩＤ及び回転速度或いは遠心加速度のいずれか一方の設定値により遠心加速度或いは回転速度の他方を演算して演算値を前記運転表部に表示可能とした遠心機であって、前記運転表示部が演算値を表示している時、設定値側の表示指示器の点灯状態を演算値側の表示指示器の点灯状態と異なるようにして設定値を指示することにより達成される。
【００１０】
【発明の実施の形態】
本実施形態における遠心機１のパネル部を図１〜図３を用いて説明する。図１は本実施形態におけるパネル部を有する遠心機１を示す概略構成図、図２は本実施形態におけるパネル部を示す外観図、図３は本実施形態におけるパネル部のロータＩＤ表示部１０及び数字表示部１１を示す要部拡大図である。
図１において、遠心機１は、図示しないファンにより強制空冷される誘導モータ５（以下モータと称す）と、モータ５の回転動力を伝達するための出力軸によって回転され且つ試料容器であるボトル４を収容可能なロータ３と、ロータ３を収容し且つ外周に配される図示しない冷却パイプ内を流れる冷媒により冷却される回転室２と、回転室２の開口上部を閉塞或いは開放するためのドア８と、ドア８に設けた図示しないドアフックに係合可能な図示しないドアロック装置及び上記モータ５などを収容する筐体上面部に設けたパネル部７（操作表示装置）と、パネル部７及び上記モータ５を制御するための制御器６とを有し、更にロータ３に設けた図示しないマグネットからロータＩＤを読み取るためのロータ自動判別器９とを備えている。なおロータＩＤには前記回転半径を示すデータも含まれているものとする。
このような構成において、ロータ３の回転中は、ドア８に設けたドアフックにドアロック装置が係合し、ドア８を開けられないようにドアロック制御している。また、ロータ３の回転停止中は、ドア８に設けたドアフックからドアロック装置が離脱し、ドア８を開き回転室２内からロータ３を取り出すことができるように制御している。また、上記パネル部７は、運転条件を入力するための設定部及びその運転条件などを表示するための表示部から構成されており、具体的にはロータＩＤ表示部１０，運転表示部である数字表示部１１，回転速度表示指示器１２，遠心加速度表示指示器１３，ＲＯＴＯＲ  ＳＷ１４，ＳＰＥＥＤ／ＲＣＦ  ＳＷ１５，ジョグダイヤル１６，ＳＴＡＲＴ  ＳＷ１７，ＳＴＯＰ  ＳＷ１８を有している。
【００１１】
次に図２及び図３を用いてパネル部７の表示について説明する。図２及び図３において、使用者は、遠心機１の運転を行う場合、ＳＰＥＥＤ／ＲＣＦ  ＳＷ１５により、回転速度或いは遠心加速度を選択し、ジョグダイヤル１６により設定値を設定する。このように回転速度或いは遠心加速度を選択可能なため、例えばロータＡを１０,０００ｒｐｍと設定し、演算された５,０００をＲＣＦ表示しておくと、運転終了後も数字表示部１１には５,０００とＲＣＦ表示される。従来の技術では、ロータＡの回転後、回転速度表示指示器１２が消灯し、遠心加速度表示指示器１３が点灯しているため、ロータＢを使用予定の次の使用者は、現在遠心加速度５,０００×ｇで設定されているものと勘違いする可能性があった。
しかし、本実施形態では、上述した誤認をなくすために、演算値である遠心加速度５,０００が表示されていても、回転速度表示指示器１２が点滅して回転速度が設定値であることを指示しているので、使用者は回転速度が設定されていることを容易に認識判断することができ、これにより新ためて遠心加速度５,０００を再設定処置することができる。つまり、２つの表示指示器１２,１３の表示方法として、例えば点灯と点滅の２種類を組合せ、設定した方と違う方すなわち演算値を表示させる時には設定した方の表示指示器１２又は１３を点滅状態とし、他方の表示指示器１３又は１２を連続点灯状態とすることにより、意図していない自動変更の可能性を使用者に前もって知らせることができる。なお、２つの表示指示器１２,１３の表示方法は、点灯と点滅の組合せ以外であっても使用者が十分に認識できる組合せであれば如何なる表示方法でも良い。また、数字表示部１１が設定値すなわち上記において回転速度が表示されている場合は、上記した従来例と同様に、図４（ａ）のように回転速度表示指示器１２が点灯し、遠心加速度表示指示器１３が消灯する。
【００１２】
以上のことから、本実施形態によれば、数字表示部１１に回転速度或いは遠心加速度の一方の数値を表示している時や数字表示部１１に回転速度或いは遠心加速度の数値が非表示の時にも前回の設定されたのが、回転速度なのか遠心加速度なのかを一目で正確に確認することができる使い勝手に優れたパネル部を遠心機１に設けることで誤った運転条件で運転される恐れがなくなり、作業効率の向上が図れる。
【００１３】
【発明の効果】
以上のように本発明によれば、設定値と異なる演算値が表示されていても、回転速度又は遠心加速度のいずれか一方が設定値で他方が演算値であるかを容易かつ正確に確認できるようになるので、誤った運転条件を設定する恐れがなくなり、被遠心分離試料を無駄にすることがなくなる等の作用効果を奏し得るようになる。
【図面の簡単な説明】
【図１】本発明になるパネル部を有する遠心機を示す概略構成図である。
【図２】本発明になるパネル部を示す外観図である。
【図３】本発明になるパネル部のロータＩＤ表示部及び数字表示部などを示す要部拡大図である。
【図４】従来におけるパネル部のロータＩＤ表示部及び数字表示部などを示す要部拡大図である。
【符号の説明】
１は遠心機、２は回転室、３はロータ、４は試料容器、５はモータ、６は制御器、７はパネル部、８はドア、９はロータ自動判別器、１０はロータＩＤ表示部、１１は数字表示部、１２は回転速度表示指示器、１３は遠心加速度表示指示器、１４はＲＯＴＯＲ  ＳＷ、１５はＳＰＥＥＤ／ＲＣＦ  ＳＷ、１６はジョグダイヤル、１７はＳＴＡＲＴ  ＳＷ、１８はＳＴＯＰ  ＳＷである。
【図１】
0004110441.tif 000002
【図２】
0004110441.tif 000003
【図３】
0004110441.tif 000004
【図４】
0004110441.tif 000005